(57)【要約】  医療機器１０１と電子機器１０３との間の通信の方法であって、医療機器１０１とインタフェース機器１０２との間の通信を確立する工程２０３と、インタフェース機器１０２と電子機器１０３との間の有線通信を確立し、インタフェース機器１０２を介して医療機器１０１と電子機器１０３との間でデータが通信され得るようにする工程２０５とを備え、上記有線通信が、インタフェース機器１０２のポートと電子機器１０３のポートとの間において提供されることを特徴とする方法が開示される。有利なことに、対話型の患者管理システムが、便利かつ安価な方法で実現される。【選択図】図１
2017525019.tif 000002
【特許請求の範囲】
【請求項１】
医療機器（１０１）と電子機器（１０３）との間の通信の方法であって、
医療機器（１０１）とインタフェース機器（１０２）との間の通信を確立する工程（２０３）と、
前記インタフェース機器（１０２）と電子機器（１０３）との間の有線通信を確立し、前記インタフェース機器（１０２）を介して前記医療機器（１０１）と前記電子機器（１０３）との間でデータが通信され得るようにする工程（２０５）と、
を備え、
前記有線通信が、前記インタフェース機器（１０２）のポートと前記電子機器（１０３）のポートとの間において提供されることを特徴とする方法。
【請求項２】
前記インタフェースの前記ポートが、高精細マルチメディアインタフェース（ＨＤＭＩ）ポートであり、前記電子機器（１０３）の前記ポートが、ＨＤＭＩポートであることを特徴とする請求項１に記載の方法。
【請求項３】
前記医療機器（１０１）と前記インタフェース機器（１０２）との間の前記通信が、無線通信であることを特徴とする請求項１または請求項２に記載の方法。
【請求項４】
前記無線通信としてＢｌｕｅｔｏｏｔｈが使用されることを特徴とする請求項３に記載の方法。
【請求項５】
前記インタフェース機器（１０２）を介して前記医療機器（１０１）から前記電子機器（１０３）にデータを伝送する工程と、
前記伝送されたデータに応じたデータを前記電子機器（１０３）のディスプレイに表示する工程と、
をさらに備えたことを特徴とする請求項１〜請求項４のいずれかに記載の方法。
【請求項６】
前記インタフェース機器（１０２）によって、前記電子機器（１０３）に電源投入のための指令を送る工程をさらに備えたことを特徴とする請求項１〜請求項５のいずれかに記載の方法。
【請求項７】
前記インタフェース機器（１０２）によって、前記電子機器（１０３）にメッセージを送る工程と、
前記電子機器（１０３）のディスプレイに前記メッセージを表示する工程と、
をさらに備えたことを特徴とする請求項１〜請求項６のいずれかに記載の方法。
【請求項８】
前記インタフェース機器（１０２）によって前記電子機器（１０３）に送られた前記データが、前記インタフェース機器（１０２）によって生成されたものであることを特徴とする請求項６または請求項７に記載の方法。
【請求項９】
前記インタフェース機器（１０２）によって前記電子機器（１０３）に送られた前記データが、前記医療機器（１０１）によって生成され、前記医療機器（１０１）によって前記インタフェース機器（１０２）に送られたものであることを特徴とする請求項６または請求項７に記載の方法。
【請求項１０】
前記医療機器（１０１）がプリンタ（１０４）および／またはインターネットルータ（１０５）に出力データを無線で伝送する工程をさらに備えたことを特徴とする請求項１〜請求項９のいずれかに記載の方法。
【請求項１１】
前記出力データが、Ｂｌｕｅｔｏｏｔｈを使用して前記医療機器（１０１）から伝送されることを特徴とする請求項１０に記載の方法。
【請求項１２】
前記インタフェース機器（１０２）がプリンタ（１０４）および／またはインターネットルータ（１０５）に出力データを無線で伝送する工程をさらに備えたことを特徴とする請求項１〜請求項１１のいずれかに記載の方法。
【請求項１３】
前記出力データが、ＷｉＦｉを使用して前記インタフェース機器（１０２）から伝送されることを特徴とする請求項１２に記載の方法。
【請求項１４】
前記インタフェース機器（１０２）が、Ｂｌｕｅｔｏｏｔｈ通信用の第１無線インタフェースと、ＷｉＦｉ通信用の第２無線インタフェースとを備えたことを特徴とする請求項４に従属した請求項１３に記載の方法。
【請求項１５】
前記インタフェース機器（１０２）によって、前記医療機器（１０１）および／または前記電子機器（１０３）を制御するための１つ以上のコンピュータプログラムを実行する工程をさらに備えたことを特徴とする請求項１〜請求項１４のいずれかに記載の方法。
【請求項１６】
ユーザが前記電子機器（１０３）と対話する工程と、
前記電子機器（１０３）が前記ユーザとの対話に応じたデータを前記インタフェース機器（１０２）と通信する工程と、
をさらに備えたことを特徴とする請求項１〜請求項１５のいずれかに記載の方法。
【請求項１７】
前記医療機器（１０１）によって、ユーザによる前記医療機器（１０１）の使用に応じたリアルタイムなデータを取得する工程と、
前記取得されたデータを前記インタフェース機器（１０２）を介して前記電子機器（１０３）に伝送する工程と、
前記電子機器（１０３）のディスプレイに前記取得されたデータに応じたデータを表示し、前記電子機器（１０３）が前記医療機器（１０１）の使用に応じた実質的にリアルタイムなデータを表示するようにする工程と、
をさらに備えたことを特徴とする請求項１〜請求項１６のいずれかに記載の方法。
【請求項１８】
前記電子機器（１０３）が、テレビであることを特徴とする請求項１〜請求項１７のいずれかに記載の方法。
【請求項１９】
前記医療機器（１０１）が、吸入器であることを特徴とする請求項１〜請求項１８のいずれかに記載の方法。
【請求項２０】
前記医療機器（１０１）が、潮流型吸入器であることを特徴とする請求項１９に記載の方法。
【請求項２１】
請求項１〜請求項２０のいずれかに記載のインタフェース機器（１０２）によって実行される方法にしたがって、医療機器（１０１）および電子機器（１０３）と通信するように構成されたことを特徴とするインタフェース機器（１０２）。
【請求項２２】
医療機器（１０１）、インタフェース機器（１０２）および電子機器（１０３）を含むシステムであって、
請求項１〜請求項２０のいずれかの方法にしたがって、前記医療機器（１０１）および前記電子機器（１０３）が、前記インタフェース機器（１０２）を介して互いに通信するように構成されたことを特徴とするシステム。
【発明の詳細な説明】
【技術分野】
【０００１】
この出願は、２０１４年６月１３日付け出願の米国仮出願第６２／０１１，８０８号および２０１５年３月２０日付け出願の米国仮出願第６２／１３５，７９８号の優先権を主張する。これらの出願の開示内容は、あらゆる目的のために、その全体が参照により援用される。
【０００２】
本発明は、一般に医療機器との通信に関する。本発明の特定の実施形態は、医療機器と電子機器との間の通信をサポートするインタフェース機器を提供する。有利なことに、患者は、インターネット接続を必要とすることなく医療機器との対話を改善するために、デジタルテレビ等の既存の家庭用電子機器を使用することができる。
【背景技術】
【０００３】
無線通信を備えた医療機器を実現することができれば、患者および医師の双方にとってユーザエクスペリエンスが向上する。大型の医療機器は、Ｂｌｕｅｔｏｏｔｈを使用してインターネットルータと無線で通信し、遠隔サーバから関連データを取得するためにインターネットを使用することができることが知られている。このようなシステムは、専門的な医療環境において、大型の医療機器用の病院に設置することができる。
【０００４】
医療機器がデータ通信可能とされるシステムの既知の実装によって経験される問題は、そのようなシステムをユーザの自宅において実装することは、困難であり、かつ費用がかかるということである。病院の外で医療機器を使用することができるとしても、ユーザの自宅は、必要とされる通信インフラを備えていなければならない。したがって、ユーザは、必要ではない好適な無線ルータおよび他の機器を購入しなければならないことがある。また、医療機器との既知の通信技術は、機能しているインターネット接続を必要とし、これは、信頼性が低いか、常時アクセス可能になっていないことがある。さらに、ユーザは、遠隔サーバから取得した情報を表示するために、スマートフォン、タブレットまたはＰＣ等のインターネット対応電子機器を所有していなければならない。ユーザに対するデータの表示は、その機器の電源が既にオンになっていること、およびその電子機器が好適なアプリケーションを実行していることを必要とする。
【０００５】
したがって、ユーザと医療機器の対話を改善し、かつ患者を自分の治療に関与させるための、便利で安価な技術を提供することが一般的に必要である。
【発明の概要】
【０００６】
本発明の第１態様によれば、医療機器とインタフェース機器との間の通信を確立する工程と、インタフェース機器と電子機器との間の有線通信を確立し、インタフェース機器を介して医療機器と電子機器との間でデータが通信され得るようにする工程とを備え、有線通信が、インタフェース機器のポートと電子機器のポートとの間において提供される、医療機器と電子機器との間の通信の方法が提供される。
【０００７】
インタフェースのポートは、高精細マルチメディアインタフェース（ＨＤＭＩ）ポートであり、電子機器のポートは、ＨＤＭＩポートであることが好ましい。
【０００８】
医療機器とインタフェース機器との間の通信は、無線通信であることが好ましい。
【０００９】
無線通信としてＢｌｕｅｔｏｏｔｈが使用されることが好ましい。
【００１０】
上記方法は、インタフェース機器を介して医療機器から電子機器にデータを伝送する工程と、伝送されたデータに応じたデータを電子機器のディスプレイに表示する工程とをさらに備えていることが好ましい。
【００１１】
上記方法は、インタフェース機器によって、電子機器に電源投入のための指令を送る工程をさらに備えていることが好ましい。
【００１２】
上記方法は、インタフェース機器によって電子機器にメッセージを送る工程と、電子機器のディスプレイにメッセージを表示する工程とをさらに備えていることが好ましい。
【００１３】
インタフェース機器によって電子機器に送られたデータは、インタフェース機器によって生成されたものであることが好ましい。
【００１４】
インタフェース機器によって電子機器に送られたデータは、医療機器によって生成され、医療機器によってインタフェース機器に送られたものであることが好ましい。
【００１５】
上記方法は、医療機器がプリンタおよび／またはインターネットルータに出力データを無線で伝送する工程をさらに備えていることが好ましい。
【００１６】
出力データは、Ｂｌｕｅｔｏｏｔｈを使用して医療機器から伝送されることが好ましい。
【００１７】
上記方法は、インタフェース機器がプリンタおよび／またはインターネットルータに出力データを無線で伝送する工程をさらに備えていることが好ましい。
【００１８】
出力データは、ＷｉＦｉを使用してインタフェース機器から伝送されることが好ましい。
【００１９】
インタフェース機器は、Ｂｌｕｅｔｏｏｔｈ通信用の第１無線インタフェースと、ＷｉＦｉ通信用の第２無線インタフェースとを備えていることが好ましい。
【００２０】
上記方法は、インタフェース機器によって、医療機器および／または電子機器を制御するための１つ以上のコンピュータプログラムを実行する工程をさらに備えていることが好ましい。
【００２１】
上記方法は、ユーザが電子機器と対話する工程と、電子機器がユーザとの対話に応じたデータをインタフェース機器と通信する工程とをさらに備えていることが好ましい。
【００２２】
上記方法は、医療機器によって、ユーザによる医療機器の使用に応じたリアルタイムなデータを取得する工程と、取得されたデータをインタフェース機器を介して電子機器に伝送する工程と、電子機器のディスプレイに取得されたデータに応じたデータを表示し、電子機器が医療機器の使用に応じた実質的にリアルタイムなデータを表示するようにする工程とをさらに備えていることが好ましい。
【００２３】
電子機器は、テレビであることが好ましい。
【００２４】
医療機器は、吸入器であることが好ましい。
【００２５】
医療機器は、潮流型吸入器であることが好ましい。
【００２６】
本発明の第２態様によれば、第１態様のインタフェース機器によって実行される方法にしたがって、医療機器および電子機器と通信するように構成されたインタフェース機器が提供される。
【００２７】
本発明の第３態様によれば、医療機器、インタフェース機器および電子機器を含むシステムであって、第１態様の方法にしたがって、医療機器および電子機器がインタフェース機器を介して互いに通信するように構成されたシステムが提供される。
【図面の簡単な説明】
【００２８】
添付の図面を参照しながら、本発明の実施形態を単なる例として以下に説明する。
【図１】図１は、一実施形態にしたがったシステムを示す。
【図２】図２は、一実施形態にしたがった方法のフロー図である。
【図３】図３は、一実施形態にしたがってテレビ画面に表示されたユーザオプションのメニューを示す。
【図４】図４は、図３に示されたオプションのいずれかを選択することによって選択できる、さらに具体的なアプリケーション／機能を示す。
【発明を実施するための形態】
【００２９】
実施形態は、機能しているインターネット１０６接続が必要とされない、医療機器１０１と電子機器１０３との間の通信のための便利で安価な技術を提供することによって、上記の問題の少なくとも幾つかを解決する。
【００３０】
実施形態は、小型の携帯型医療機器１０１に特に適している。小型の医療機器１０１が無線通信可能であることは、一般に知られていない。しかしながら、この分野における研究は増加しており、かかる携帯型バッテリ式吸入器がＴＥＶＡ（登録商標）によって開発されている。
【００３１】
電子機器１０３は、医療機器１０１に関するデータの表示のために使用され、好ましくは、ユーザと対話するためにも使用される。
【００３２】
インタフェース機器１０２は、医療機器１０１と電子機器１０３との間の通信をサポートするために設けられている。インタフェース機器１０２は、医療機器１０１との通信のための無線通信インタフェースと、電子機器１０３との有線接続のためのポートとを有していることが好ましい。
【００３３】
また、実施形態は、ＨＤＭＩ（High Definition Multimedia Interface）対応テレビ等のＨＤＭＩポートを備えた任意の電子機器１０３との使用に特に適している。最後のアナログテレビ放送が２００９年６月１２日に行われたとき、それまでのアナログテレビは、何らかの形式のデジタルケーブルまたは衛星ボックスに接続されていない限り、かなり陳腐化した。このことは、ＨＤＭＩポートを搭載したデジタルテレビへの置き換えの進行に拍車をかけた。これらのデジタルテレビの多くは、Ｗｉ−Ｆｉ、ＵＳＢおよびメモリカードオプションも搭載し、高度なマルチメディア体験を提供する。ユーザは、番組を視聴したり、写真を表示したり、ビデオを再生したり、インターネット１０６にアクセスしたりするために、かかるテレビを使用することができる。多くの家庭は、何らかの形式のデジタルテレビ、またはＤ／Ａコンバータを介して動作するアナログテレビ（すなわち、ＨＤＭＩ対応電子機器１０３）を所有している。
【００３４】
したがって、実施形態は、医療機器１０１と電子機器１０３との間の通信を提供することによって、医療機器１０１とのユーザ対話を改善する。有利なことに、本システムは、インターネット１０６接続が不要であり、かつ既存のＨＤＭＩテレビを使用することができるので、便利であり、かつ実装が安価である。実施形態は、ユーザの自宅において、対話型の患者管理システムを実現する。例えば、本システムは、ユーザのテレビに医療記録、投薬計画情報またはリマインダメッセージを表示するために使用され得る。また、テレビのリモコンは、医療記録の印刷および他の機能のために使用され得る。
【００３５】
図１は、一実施形態にしたがったシステムを示す。このシステムは、医療機器１０１、インタフェース機器１０２および電子機器１０３を少なくとも備えている。また、システムは、インターネット１０６に接続されたルータ１０５、プリンタ１０４および他の補助機器（図１には図示せず）を備えていてもよい。
【００３６】
医療機器１０１は、データ通信可能な任意のタイプの医療機器１０１であってもよい。医療機器１０１は、吸入器のような小型の携帯型バッテリ式医療機器１０１であることが好ましい。
【００３７】
医療機器１０１は、乾燥粉末潮流型吸入器のような潮流型吸入器であることが好ましい。
【００３８】
乾燥粉末潮流型吸入器は、乾燥粉末をエアロゾル化するためのピエゾ振動子を含んでいることが好ましい。乾燥粉末潮流型吸入器は、ブリスターストリップ上のブリスター内において乾燥粉末薬剤を収容していてもよい。使用時に、薬剤が短い通路を通ってブリスターから投薬室に移送され、当該機器内において投薬室が圧電振動子に近接または接触するように、ブリスターストリップは前進させられ、開封されてもよい。投薬室は、患者の吸入のためのマウスピースまたはノーズピースに接する通路内への粉末の放出を可能にするために、ピエゾの反対側に１つ以上の開口部も有している。医療機器１０１は、乾燥粉末ネブライザーのようなネブライザーであってもよい。医療機器１０１は、ユーザの呼吸を監視するための流量センサを備えた吸入器であることが好ましい。ピエゾの作動、ひいては患者による吸入のための投薬室からの薬剤の放出は、流量センサおよび／または他の患者駆動制御（patient activated controls）によって生成された信号によって調節され得る。
【００３９】
あるいは、本機器は、例えば、患者吸入用マウスピースと、吸入によって誘発された空気流をマウスピースを通じて案内するための送達通路と、送達通路から延びるチャネルと、薬剤を収容するリザーバ（リザーバは、チャネルに接続された投薬ポートを有している）とを備えていてもよい。さらに、本機器は、マウスピースを覆い、ホッパを介したリザーバからの薬剤の放出を作動させるための、吸入器のケースに旋回可能に取り付けられたカバーを備えていてもよい。吸入器は、患者による吸入によって計量された薬剤の送達を誘発する呼吸作動機構を有していてもよい。
【００４０】
このように、医療機器１０１は、例えば、ＵＳ２０１１／０１６２６４２Ａ１、ＵＳ８，４３９，０３３Ｂ２、ＵＳ２０１１／００００４８１Ａ１、ＵＳ７，３１８，４３４Ｂ２、ＷＯ０２／００２８１、ＷＯ０１／０９７８８９および／またはＷＯ２００５／０３４８３３のいずれかに開示された医療機器に基づくことができ、実施形態にしたがったデータ通信がさらに可能になっている。したがって、医療機器１０１は、Ｔｅｖａ（登録商標）によって製造されたＭｉｃｒｏＤｏｓｅ（登録商標）機器またはＳｐｉｒｏｍａｘ（登録商標）／ＤｕｏＲｅｓｐ（登録商標）Ｓｐｉｒｏｍａｘ（登録商標）機器に基づくことができ、実施形態にしたがったデータ通信がさらに可能になっている。
【００４１】
医療機器１０１は、データ通信用の１つ以上のインタフェースが有効化されている。医療機器１０１は、データを生成して医療機器１０１から伝送するための、電子プロセッサ、メモリおよび他の電子機器を備えている。伝送されるデータは、例えば、医療機器１０１によって投与される薬剤のための投薬計画等の、医療機器１０１に記憶されたデータであってもよいし、患者による医療機器１０１の使用に応じて医療機器１０１が生成したデータであってもよい。
【００４２】
医療機器１０１からのデータ通信は、図１に示すような無線通信であることが好ましいが、有線データ接続を介して行われてもよい。無線通信は、Ｂｌｕｅｔｏｏｔｈ（特に省電力Ｂｌｕｅｔｏｏｔｈ）を使用して実施されることが好ましい。Ｂｌｕｅｔｏｏｔｈが好ましいのは、省電力でデータを伝送できるからである。バッテリに対する電力要求が少ないことは重要なので、このことは、医療機器１０１との通信にとって有利である。ＷｉＦｉのような他の形式の無線通信は、Ｂｌｕｅｔｏｏｔｈよりも大きな帯域幅を提供するが、より多くの電力を必要とする。しかしながら、通常、医療機器１０１から伝送されるデータ（例えば、医療記録または単一画像のデータ）の量は少ないので、Ｂｌｕｅｔｏｏｔｈによって提供される帯域幅で十分である。
【００４３】
インタフェース機器１０２は、医療機器１０１および電子機器１０３の両方と通信するように構成されている。インタフェース機器１０２は、医療機器１０１と電子機器１０３との間のインタフェースを提供するように構成され、医療機器１０１からインタフェース機器１０２が受信したデータは、電子機器１０３に通信される。逆もまた同様である。
【００４４】
インタフェース機器１０２は、医療機器１０１との無線通信をサポートするための無線通信インタフェースを備えていることが好ましい。上述の理由から、医療機器１０１とインタフェース機器１０２との間の無線通信は、Ｂｌｕｅｔｏｏｔｈを使用して実施されることが好ましい。インタフェース機器１０２は、Ｂｌｕｅｔｏｏｔｈに加え、ＷｉＦｉのような他のタイプの無線通信をサポートしていてもよい。ＷｉＦｉ（または、他のタイプの無線通信）は、Ｂｌｕｅｔｏｏｔｈ通信において使用されるのと同じ無線インタフェースを介して伝送されてもよいし、１つ以上の別個の無線インタフェースを介して伝送されてもよい。インタフェース機器１０２と電子機器１０３との間の通信は、有線接続を介して行われることが好ましい。有線接続をサポートするためのインタフェース機器１０２のポートは、任意のタイプの好適なポートであってもよい。好ましくは、インタフェース機器１０２は、電子機器１０３とのデータ通信のためのＨＤＭＩポートを備えている。インタフェース機器１０２は、図１に示されたルータ１０５およびプリンタ１０４のような、システム内に存在し得る他の任意の機器と通信するように構成されていてもよい。他の機器との通信は無線であり、Ｂｌｕｅｔｏｏｔｈおよび／またはＷｉＦｉ通信によって行われることが好ましい。
【００４５】
インタフェース機器１０２は、１つ以上のコンピュータプログラムを実行するための１つ以上のメモリおよびプロセッサを備えた演算装置であることが好ましい。１つ以上のコンピュータプログラムは、医療機器１０１と電子機器１０３との間のデータ通信をサポートまたは強化する。その代わりに、またはそれに加えて、１つ以上のコンピュータプログラムは、医療機器１０１、電子機器１０３、および／または当該インタフェース機器１０２が通信している他の機器を制御するように、インタフェース機器１０２を構成してもよい。
【００４６】
インタフェース機器１０２を実装するために使用され得る既知の機器は、Ｃｏｔｔｏｎ  Ｃａｎｄｙ（登録商標）として知られたＡｎｄｒｏｉｄ（登録商標）ミニＰＣである。これが特に好ましいのは、ＢｌｕｅｔｏｏｔｈおよびＷｉＦｉを使用した無線通信、並びにＨＤＭＩおよびＵＳＢポートを介した有線通信が可能な小型の携帯型演算装置だからである。インタフェース機器１０２は、ＨＤＭＩドングルであることが好ましい。
【００４７】
Ｃｏｔｔｏｎ  Ｃａｎｄｙ（登録商標）機器の既知の使用は、業務用の別のコンピュータを提供することによってセキュリティを向上させるためである。通常、コンピュータは、個人的に使用することができる。業務での使用のために、Ｃｏｔｔｏｎ  Ｃａｎｄｙ（登録商標）機器は、コンピュータに接続される。そして、Ｃｏｔｔｏｎ  Ｃａｎｄｙ（登録商標）機器は、コンピュータを介して動作する。このことは、コンピュータの個人的な使用を通じて感染するおそれのマルウェアがビジネスでの使用に影響を与えることを防ぐ。Ｃｏｔｔｏｎ  Ｃａｎｄｙ（登録商標）機器が、医療機器１０１に対するインタフェースという特定の目的のために使用されることは知られていない。無線通信からＨＤＭＩポートへのインタフェースを提供する既知の機器に関しては、ＷｉＦｉとともに実装することのみが知られている。ＷｉＦｉが、完全なＨＤＭＩ機能（例えば、インターネット１０６からデジタルテレビへの高解像度ライブビデオストリームのストリーミング）のための十分な帯域幅を提供する唯一の方法であるからである。ＨＤＭＩポートとＢｌｕｅｔｏｏｔｈ通信との間のインタフェースは、知られていないか、明らかになっていない。Ｂｌｕｅｔｏｏｔｈでは、ＨＤＭＩポートを最大限に活用するのに必要な帯域幅が提供されないからである。
【００４８】
電子機器１０３は、インタフェース機器１０２と通信するように構成されている。インタフェース機器１０２と電子機器１０３との間の通信は、有線接続を介して行われることが好ましい。有線接続をサポートする電子機器１０３のポートは、任意のタイプの好適なポートであってもよい。好ましくは、インタフェース機器１０２は、電子機器１０３とのデータ通信のためのＨＤＭＩポートを備えている。電子機器１０３は、情報を表示するための画面を備えている。また、電子機器１０３は、電子機器１０３のリモコンのような周辺機器と通信するように構成されていてもよい。
【００４９】
電子機器１０３は、任意の好適なタイプの電子機器１０３であってもよい。電子機器１０３は、ＨＤＭＩポートが有効化されたテレビであることが好ましい。電子機器１０３は、統合型のＨＤＭＩポートを有するデジタルテレビであってもよいし、インタフェース機器１０２に接続されたＤ／Ａコンバータを介して動作するアナログテレビであってもよい。
【００５０】
図１に示されたルータ１０５およびプリンタ１０４のような他の機器が、システム内に存在していてもよい。これらは、医療機器１０１および／またはインタフェース機器１０２と通信するように構成されていることが好ましい。好ましくは、通信は、ＷｉＦｉまたはＢｌｕｅｔｏｏｔｈのような無線データ接続を介して行われる。
【００５１】
有利なことに、実施形態にしたがったシステムは、ユーザの自宅内のローカルネットワークを介して医療機器１０１と電子機器１０３との間の通信を可能にする。自宅が、機能しているインターネット１０６接続または無線ルータ１０５を有している必要はない。電子機器１０３は、既存のＨＤＭＩ対応テレビであってもよい。この場合、必要とされる唯一の新しい設備は、インタフェース機器１０２である。
【００５２】
インタフェース機器１０２も演算装置である。このことは、高度な対話型の患者管理システムの実現を可能にする。実施形態にしたがった、可能性のあるシステム実装および機能の幾つかを以下に説明する。
【００５３】
医療機器１０１は、使用時にデータを記録することによって医療データを生成することができる。例えば、吸入器は、使用されているときに、各々の使用において投与された薬剤の量、医療機器１０１の測定されたバッテリレベル、および他のデータを記録することができる。また、医療機器１０１は、医療データおよび任意の他のタイプの関連データ（例えば、医療機器１０１の使用に関する指令、処方された投薬計画、医療記録、一般的なアドバイス等）を格納してもよい。また、インタフェース機器１０２も、上述したような医療データおよび他のタイプのデータを格納してもよい。データは、電子機器１０３に通信され、電子機器１０３のディスプレイに表示されてもよい。
【００５４】
システムは、プリンタ１０４を備えていることが好ましい。この場合、ユーザは、電子機器１０３に現在表示されているデータ、あるいは、医療機器１０１またはインタフェース機器１０２に格納されているデータの一部または全部を印刷することを選択することができる。印刷されたデータは、対面中の患者と医師とによって検討される。
【００５５】
医療機器と電子機器１０３との間のデータの通信、およびシステムへのユーザ指令の入力は、電子機器１０３が受信した指令（例えば、表示されたメニューからオプションを選択するためにユーザがテレビリモコンを使用すること）、あるいは医療機器１０１またはインタフェース機器１０２への直接入力（例えば、医療機器１０１またはインタフェース機器１０２のボタンをユーザが押すこと）に応えたものであってもよい。
【００５６】
インタフェース機器１０２および電子機器１０３は、医療機器１０１よりも大きなメモリを有している。そして、医療機器１０１によって生成されたデータは、医療機器１０１または電子機器１０３のいずれかへの格納のために、医療機器１０１から自動的に伝送されてもよい。これにより、医療機器１０１の必要メモリが低減される。
【００５７】
ＨＤＭＩ対応テレビである電子機器１０３の利点は、ＨＤＭＩ規格が、家電制御（ＣＥＣ）として知られた機能を有していることである。ＣＥＣは、好適に有効化されたテレビのための便利な機能を提供する
【００５８】
インタフェース機器１０２は、ＣＥＣを使用してテレビを制御することが好ましい。インタフェース機器１０２は、テレビをオンしたり、その音量を調整したり、既存のプログラムおよび他の機能を介してテキストメッセージを表示したりすることができる。例えば、患者は、放送されたテレビ番組を見ている間、画面上のプロンプトによって服用すべきことを思い出させられる。この特定の機能は、「ＣＥＣによるオンスクリーンディスプレイ」として知られている。服用すべき時刻にたまたまテレビがオフされていると、インタフェース機器１０２は、テレビをオンさせ、服用すべきことを示すメッセージを表示させたり、服用すべきことを示す音声メッセージを再生させたりすることができる。同様の手段によって、処方薬の補充または次回の医師の予約に関するリマインダを提供することができる。後で見直すために、テレビに接続されたＤＶＲに情報を記録することもできる。
【００５９】
これに関連して、ユーザは、自分のテレビおよび／またはＤＶＲとの対話の方法に非常によく似た方法で医療機器１０１と対話することができる。テレビまたはＤＶＲのリモコンは、電子機器１０３に表示されたデータ、および、インタフェース機器１０２、電子機器１０３またはＤＶＲに格納されたデータをぱらぱらとめくって、医療データまたは任意の他のタイプの関連データを取得するために使用することができる。
【００６０】
インタフェース機器１０２は、電子機器１０３において再生可能なビデオを記憶していることが好ましい。ビデオは、機器の好適な使用を実演したり、対話的な方法で示されるトラブルシューティング情報を提供したりすることができる。このようなデータは、その製造時または配布時に、インタフェース機器１０２に予めプログラムしておくことができる。
【００６１】
患者の呼吸のリアルタイム表示が電子機器１０３上になされるように、医療機器１０１は、流量監視機能を有する吸入器であることが特に好ましい。これには、訓練と診断の目的がある。患者は、吸入器を使用している際にリアルタイムのコーチを受けることができ、かつ、治療を受けることを助けるための励みを得ることができる。
【００６２】
実施形態を実現するために必須ではないが、インタフェース機器１０２から機能しているインターネット１０６接続を有するルータ１０５への通信は、さらなる有利な機能をもたらす。これには、患者の遠隔監視および遠隔診断、機器の使用が困難な患者のためのリアルタイムヘルプ、進行中の投薬を医師が監視する能力、およびより詳細な情報を配信するための放送チャネルが含まれる。
【００６３】
したがって、実施形態は、ローカルエリアネットワークを介した対話型の患者管理システムを形成するための安価でシンプルな技術を提供する。システムは、ＨＤＭＩテレビを使用してユーザと対話することが好ましい。ユーザが既にそのようなテレビを所有している可能性があるので、コスト面で大きな利点がある。さらに、システムは、ルータ１０５または機能しているインターネット１０６接続を備えている必要はない。このことは、システムの信頼性を向上させ、かつ、患者の医療データがローカルネットワーク内に維持され、インターネット１０６を介して伝送されないので、セキュリティ面の利点がある。
【００６４】
図２は、一実施形態にしたがった方法のフロー図である。
【００６５】
ステップ２０１において、処理が始まる。
【００６６】
ステップ２０３において、医療機器１０１とインタフェース機器１０２との間で通信が確立される。
【００６７】
ステップ２０５において、インタフェース機器１０２と電子機器１０３との間で有線通信が確立され、インタフェース機器１０２を介して医療機器１０１と電子機器１０３との間でデータが通信され得るようになる。有線通信は、インタフェース機器１０２のポートと電子機器１０３のポートとの間において提供される。
【００６８】
ステップ２０７において、処理が終わる。
【００６９】
実施形態にしたがったインタフェース機器１０２は、患者の自宅への対話型の患者管理システムの設置を可能にする。インタフェース機器１０２は、複数の他の機器との有線通信および無線通信をサポートすることができる、自宅健康ハブ（home health hub）であることが好ましい。システムは、ＩＥＥＥ１１０７３群の規格にしたがって動作することが好ましい。これらの規格に準拠する任意の機器をサポートするためである。自宅健康ハブと他の機器との組み合わせ動作は、ユーザの（すなわち患者）の治療に直接的に関係する上質のマルチメディアエクスペリエンスを生じさせる。
【００７０】
例えば、患者による機器の使用に応じてテレビ画面上にビデオが再生されてもよい。そして、ビデオは、パーソナルアシスタントと同じ方法で患者と対話する。通常、テレビのディスプレイは大きいので、患者との最初の視覚インタフェースとしての使用に特に適している。特に、高齢の患者は、携帯電話に見られるような小さなディスプレイ画面を読み取ることに苦労する傾向がある。デジタルテレビのコストは減少していっており、実施形態にしたがったインタフェース機器１０２（例えば、ＨＤＭＩドングル）と互換性のあるデジタルテレビをほとんどの家庭が有するようになるまで、それほど時間はかからないと予想される。
【００７１】
好ましくは、自宅健康ハブによって、患者は、何かをすることを求められなくても、直接的に関与するようになる。例えば、午前中に患者が初めてテレビをオンにすると、インタフェース機器１０２は、これを検出するとともに、テレビ画面上に表示されるフレンドリーな挨拶で応答することができる。これには、次の処方薬の補充、または、所有する医療機器１０１のうちの１つのバッテリの充電の必要性に関するリマインダメッセージが続いてもよい。同様のメッセージが、既にテレビ番組を視聴しているという状況の患者に対して表示されてもよい。また、テレビは、患者が自分の医療機器１０１のうちの１つを使用するときに、自動的にオンするように構成されていることが好ましい。視力が低下した患者は、大きなフォントで表示された情報や、合成音声メッセージによって伝えられた情報を入手できることが好ましい。
【００７２】
実施形態は、在宅ヘルスケアを大幅に改善する。可能な限り、ほとんどの患者は、他者の負担になることなく自分をサポートすることを好む。しかしながら、患者の責任者は、患者が医療機器１０１を適切に使用して薬を服用しているかどうかを知る必要がある。対話型の患者管理システムは、患者および患者の責任者の上記の要求を満足させる。
【００７３】
例えば、テレビを介して患者と対話する吸入器の場合について考える。患者が吸入器のキャップを開けると、テレビにメッセージが提示されたり、次に何をすべきかを指令する心地よい声を聞いたりすることができる。これにより、機器を適切に使用する方法が不明な患者に対し、望ましい、励みとなるフィードバックが提供される。
【００７４】
別の例では、患者が薬を服用したときに、１回分の薬剤が送達されたことを患者に伝えるメッセージがテレビに現れる。これにより、味や他の感覚からの直接的なフィードバックが存在しない薬を服用するときに生じ得るあらゆる不安が軽減される。
【００７５】
テレビでのビデオの再生は、メッセージの表示に比べ、患者との対話を改善するかもしれない。例えば、患者が吸入器から薬剤を受け取るための適切な吸気流にかなり達していない場合、吸入器は、この低流量状態を検出し、インタフェース機器１０２にメッセージを送ることができる。そして、このメッセージに応じて、適切なテクニックを示すビデオがテレビで再生され得る。これに代えて、またはこれに加えて、適切な治療に必要とされるものとの比較において、患者が行った取り組みのリアルタイム表示が表示されてもよい。このようなフィードバックは、医療機器１０１の各タイプに固有のものであり、患者の特定の状況に合わせた経験を当該患者にさせることができる。患者が機器を適切に使用したかどうかを含め、特定の患者およびその患者の機器に特有のフィードバックを提供することにより、患者の自立がより容易になる。加えて、患者が、使いやすい製品と自分の自立能力とを関連付けるようになり、特別な関与を必要としない場合、当該患者は、自分の治療に対してより高いレベルの関心を払うようになる可能性が高い。
【００７６】
したがって、対話型の患者管理システムによれば、患者の自立およびよりよい暮らしの助けとなる仮想的なパーソナルアシスタントが患者に効果的に提供される。
【００７７】
しかし、このようなフィードバックであっても、一部の患者は、自分を監視するシステムの使用を嫌がるかもしれない。したがって、簡単なリマインダおよび使用中のフィードバックに勝る、患者を惹きつける何らかの方法が必要である。多くの病気は本質的に慢性的なので、患者は非常に長期にわたって惹きつけられる必要があるかもしれない。実施形態は、システムにゲームを組み込むことによってこれらの要求を満たす。大画面テレビは、一般向けのビデオゲーム市場で既に重要な役割を果たしている。したがって、大画面テレビは、治療の遵守およびコンプライアンスを促す方法で患者と対話するゲームをサポートすることができる。例えば、ゲームは、適切な呼吸技術または機器の使用を本質的に促してもよい。テレビにシンプルな流量計を表示して、達成すべき目標流量を示してもよい。患者の流量は、吸気流に応じて移動するカーソルとして示すことができる。このようなゲームは、認知技能を発達させたり、維持したりすることさえできる。ゲームは、プレイヤー同士が対戦しながらコミュニケーションを行うソーシャルメディア要素も含んでいてもよい。このような社会的交流を持つことは、楽しみな何かを人々に与えることにより遵守を促し、自分の機器の使用について興味を持たせることができる。特定の医療機器１０１を使用する患者達は、同じタイプの機器の他のユーザ達と結び付けられ、一種のサポートグループを形成することができる。このようにして、患者は、良好な遵守の恩恵を受けると同時に、コミュニティ体験を楽しむことができる。
【００７８】
別の実施形態によれば、対話型患者管理システムは、薬剤の使用がリアルタイムで追跡されるように、記録されたデータを遠隔サーバに送ることができる。かかる情報は、特定の疾病の全世界における進行を監視するために使用したり、公衆衛生に関する新たに発生した健康パターンを識別したりするために使用することができる。
【００７９】
医療機器１０１は、インタフェース機器１０２を介してテレビリモコンによって制御されることが好ましい。これは、ディスプレイが付いていない医療機器１０１（例えば、錠剤容器）や、限られたユーザインタフェースのみを有する医療機器１０１（例えば、吸入器）に特に有利である。テレビリモコンを使用することにより、ユーザの好み、投薬リマインダ、さらには肺機能に必要な患者測定値（例えば、年齢、身長、体重）の全てを大画面においてプログラムすることが可能になる。テレビは、ユーザが自分の医療機器１０１をプログラムすること、およびそれにより当該ユーザが自分のエクスペリエンスを自分流にアレンジすることを可能にするメニューを表示することが好ましい。
【００８０】
あるいは、インタフェース機器１０２は、リモコンを備えていてもよい。リモコンは、インタフェース機器１０２との直接通信のためのものである。リモコンは、上述したように、医療機器１０１をプログラムするために使用することができる。
【００８１】
インタフェース機器１０２は、テレビドングルであってもよい。テレビドングルは、ユーザが旅行中に自分のお気に入りのペイ・パー・ビュー方式のテレビ購読（例えば、Ｇｏｏｇｌｅ  ＰｌａｙまたはＡｍａｚｏｎ  Ｐｒｉｍｅ）にアクセスできるように、ユーザによって持ち運ばれる。ユーザは、ドングルを自分のホテルのテレビの空いているポートに差し込んでインターネット接続を完了し、お気に入りの番組を自分の居間にいるかのように見始めるだけでよい。
【００８２】
インタフェース機器１０２の可搬性は、旅行中の患者に患者サポートが提供されることを意味し、患者自身の通常の習慣と調和する。患者は、インタフェース機器１０２を医師のオフィスに持ち込むこともできる。そこで、インタフェース機器１０２は、患者の医療データを取り出すために、テレビ（または医師のコンピュータ）に差し込まれる。
【００８３】
図３は、実施形態にしたがってテレビ画面に表示されるユーザオプションのメニューを示す。これらのオプションは、ユーザのインタフェース機器１０２の有効化（例えば、インタフェース機器１０２がテレビに差し込まれる、あるいはテレビの電源がオンされる）に応じて表示される。
【００８４】
図４は、図３に示されたオプションのいずれかを選択することによって選択できる、さらに具体的なアプリケーション／機能を示す。
【００８５】
リモコンを使用することにより、ユーザは、メニューを操作し、自分の医療機器１０１に求め対話のレベルをカスタマイズすることができる。例えば、ユーザが、同一のインタフェース機器１０２によってサポートされている２つの医療機器１０１を所持し、それらのうちの１つを使用している間にのみコーチを受けたい場合、当該ユーザは、その１つの医療機器１０１についてのみコーチオプションを有効化することができる。別の例として、ユーザが医療機器１０１の適切な使用に関する訓練を受けたい場合も、同様に、機能を選択すればよい。
【００８６】
図３に示されたアプリケーションに関して、「Ｔｅｖａ  ＴＶ」は、患者にビデオを２４時間中配信するサービスの一例である。疾患のタイプ毎に１つの別々のチャンネルのために、３０分番組のループを作成することができる。各々のチャンネルは、インタフェース機器１０２のユーザに登録された医療機器１０１のタイプに基づいて自動的に選択される。その結果、患者は、自分が保有する薬剤／疾患に関連した健康情報のみを見ることになる。また、これにより、専門的に制作されたビデオへの容易なアクセスが可能になる。このようなビデオは、インターネット上で既に利用可能であるかもしれないが、見つけるのは必ずしも容易ではない。
【００８７】
「Ｔｅｖａ  Ｔｕｂｅ」は、患者が視聴したい健康関連番組（すなわちビデオ）を選択することができるビデオ・オン・デマンド（ＶＯＤ）サービスである。選択され得る番組は、インタフェース機器１０２のユーザに登録された機器のタイプに自動的に基づいている。患者は、自分が保有する薬剤／疾患に関連した健康情報のみを見ることになる。また、これにより、専門的に制作されたビデオへの容易なアクセスが可能になる。このようなビデオは、インターネット上で既に利用可能であるかもしれないが、見つけるのは必ずしも容易ではない。
【００８８】
「Ｐｒｉｎｔ」は、自分の医療機器１０１に関連したデータ（例えば、使用履歴）をプリントアウトするために、患者によって選択される。その後、プリントアウトは、患者ファイルに保管されるべきハードコピーとして、医師と共有される。この機能は、インターネット接続なしで使用することができるとともに、サイバーセキュリティに関する不安を最小限にするハードコピーデータの共有を手助けする。
【００８９】
「Ｍｙ  Ｄｅｖｉｃｅｓ」タブを選択すると、インタフェース機器１０２において現在知られている（すなわち、登録されている）全ての機器のリストが提示される。タブ内の特定の機器が選択されると、その機器に関する詳しい情報が明らかとなる。例えば、吸入器は、残っている用量の数、および／または日、週または月毎の使用履歴を示すグラフを提示することができる。
【００９０】
「Ｍｙ  Ｃｏｍｍｕｎｉｔｙ」タブを選択することにより、ユーザは、様々なゲームおよびソーシャルメディアにアクセスすることができる。ゲームは、患者を個別に、または同じタイプの医療機器１０１を使用している他のユーザとともに惹きつけることができる。ゲームは、インタフェース機器１０２において現在知られている（すなわち、登録されている）医療機器１０１のタイプに関連付けられていてもよい。ソーシャルメディアは、同じタイプの医療機器１０１の他のユーザへの匿名アクセスを提供し、同様の健康問題を有する他のユーザへのアクセスを可能にする。
【００９１】
「Ｍｙ  Ｓｅｔｔｉｎｇ」タブを選択することにより、ユーザは、１つまたは複数の自分の医療機器１０１の全ての設定方法のリストを見ることができる。例えば、ユーザは、日時を入力したり、投薬リマインダを設定したり、場合によってはリマインダの「着信音」を設定したりすることができる。ユーザは、ゲームおよびソーシャルメディアで使用するための固有のハンドル名を入力することが好ましい。同じ名前が、テレビに表示される患者への個人的な挨拶において使用される。
【００９２】
患者は、インタフェース機器１０２において知られた任意の医療機器１０１のための機能を個別に有効化または無効化することもできる。このような機能には、以下のものが含まれる：リモートリマインダ（Remote Reminder）、シェイクアンドウェイク（Shake and Wake）、バーチャルコンシェルジュ（Virtual Concierge）、バーチャルインストラクタ（Virtual Instructor）、およびバーチャルコーチ（Virtual Coach）。
【００９３】
実施形態にしたがった対話型患者管理システムによって、患者のケアおよびエクスペリエンスが大幅に改善される多くの状況が存在する。その幾つかの例を以下に示す。
【００９４】
患者は、自分の吸入器から出力される音によって薬を服用すべきことを思い出すことができる。しかしながら、別の部屋でテレビを観ているために、リマインダは患者の耳に届かない。吸入器は、患者によって受け取られるリマインダを送る患者のテレビにメッセージを送る。
【００９５】
患者は、どの錠剤を服用したのかを忘れることがある。調べるために、患者は、錠剤ポットを振動させるだけでよい。振動の検出に応答して、錠剤ポットは、患者のテレビにメッセージを送る。そして、患者は、テレビとの対話によって得た情報からどの薬を服用したのかを知ることができる。
【００９６】
医療機器１０１は、補充が必要かどうかを検出してもよい。医療機器１０１の補充の注文をユーザに促すメッセージが、ユーザに向けて自動的に表示されてもよい。
【００９７】
患者は、自分の吸入器を使用するときに自信がない。患者は、インストラクションビデオに示されているように、テレビの電源をオンにする。
【００９８】
患者は、吸入器を使用するときに助言を希望するかもしれない。患者は、吸入器内のセンサからリアルタイムデータを受信するとともに、インストラクションビデオを監視された吸入器の使用に同期させるコーチング機能を起動することができる。この結果、患者にリアルタイムフィードバックが提供される。
【００９９】
医療機器１０１の設定、およびインタフェース機器１０２によって提供されるプログラムは、患者によって行われる必要はなく、医師、介護者または親戚によって行われてもよい。この設定においては、病状の検出および／または投薬リマインダの設定を助けるために、患者の年齢のような個人データが提供されてもよい。
【０１００】
有利なことに、実施形態にしたがった対話型患者管理システムは、患者を自分の治療に積極的に関与させるとともに、患者を豊富なマルチメディア体験に熱中させる。テレビは、ディスプレイ画面の大きなサイズとその信頼性とから、ユーザとの対話にとって特に有利な機器である。かかる有利なユーザとの対話は、例えば、小さなディスプレイ画面を有し、かつバッテリ電力に依存するために信頼性がないスマートフォンでは、かなり悪化する。
【０１０１】
実施形態は、上記の技術に対する多くの変更および変形も含む。
【０１０２】
図１に示されたシステムは、複数の医療機器１０１と、当該複数の医療機器１０１のそれぞれとの通信をサポートするとともに、当該複数の医療機器１０１のそれぞれを制御するように構成されたインタフェース機器１０２とを備えていてもよい。
【０１０３】
インタフェース機器１０２と電子機器１０３との間の通信は、それぞれのＨＤＭＩポートを介して行うのが好ましいが、これに代えて、ＵＳＢポートまたは他のタイプのポートを介して行ってもよい。あるいは、インタフェース機器１０２と電子機器１０３との間の通信は、無線通信によって行ってもよい。
【０１０４】
インタフェース機器１０２と医療機器との間の通信は、有線接続を介して行ってもよい。有線接続は、インタフェース機器１０２の無線接続能力に追加的に設けられていることが好ましい。
【０１０５】
電子機器１０３は、コンピュータのような任意の適切なタイプの電子機器１０３であってもよい。
【０１０６】
医療機器１０１、インタフェース機器１０２および電子機器１０３のいずれかの間でのデータの一部（または全部）の伝送は、自動的に行われてもよく、ユーザ指令に応答して行われなくてもよい。
【０１０７】
また、インタフェース機器１０２は、ＢｌｕｅｔｏｏｔｈまたはＷｉＦｉを使用してユーザのスマートフォンと通信し、これにより、ユーザに通知を表示したり、ユーザからの指令を受け付けたりしてもよい。
【０１０８】
インタフェース機器１０２は、ユーザのスマートフォンによって提供されてもよい。スマートフォンは、Ｂｌｕｅｔｏｏｔｈ通信によって医療機器１０１と通信する一方、ＷｉＦｉによって電子機器１０３と通信する。電子機器１０３は、ＷｉＦｉ対応テレビであってもよい。
【０１０９】
スマートフォンは、１つまたは複数のアプリケーションの実行により、医療システム用に設定されてもよい。
【０１１０】
本明細書のフロー図およびその説明は、そこに記載された方法ステップの実行の固定順序を規定するものと理解すべきではない。むしろ、方法ステップは、実行可能な任意の順序で実行されてもよい。本発明を特定の例示的な実施形態に関連して説明してきたが、添付の特許請求の範囲に記載された本発明の精神および範囲から逸脱することなく、当業者にとって明らかな種々の変更、置換および修正が開示された実施形態に対してなされてもよいことを理解すべきである。
【図１】
2017525019.tif 000003
【図２】
2017525019.tif 000004
【図３】
2017525019.tif 000005
【図４】
2017525019.tif 000006
【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
薬剤送達機器および電子機器と通信するためのインタフェース機器であって、
メモリと、
前記薬剤送達機器から薬剤送達データを受け取り、前記薬剤送達データに関連する、グラフィックファイルまたは音声ファイルに関連した番組を決定し、そして、前記電子機器のディスプレイに前記グラフィックファイルを表示させるために、あるいは前記電子機器のスピーカを介して前記音声ファイルを再生させるために、前記電子機器に制御メッセージを送るよう構成されたプロセッサと、
を備えていることを特徴とするインタフェース機器。
【請求項２】
前記番組は、前記インタフェース機器の前記メモリに格納されている
ことを特徴とする請求項１に記載のインタフェース機器。
【請求項３】
前記番組は、遠隔サーバに格納されており、
前記プロセッサは、さらに、前記遠隔サーバから前記番組を取得するよう構成されている
ことを特徴とする請求項１に記載のインタフェース機器。
【請求項４】
前記プロセッサは、さらに、ルータを介して前記番組を取得するよう構成されている
ことを特徴とする請求項３に記載のインタフェース機器。
【請求項５】
前記薬剤送達データは、患者による前記薬剤送達機器の使用に関連している
ことを特徴とする請求項１に記載のインタフェース機器。
【請求項６】
前記薬剤送達機器は、吸入器を含んでおり、
前記薬剤送達データは、吸入データを含んでいる
ことを特徴とする請求項５に記載のインタフェース機器。
【請求項７】
前記グラフィックファイルまたは前記音声ファイルは、投薬計画またはリマインダメッセージを含んでおり、
前記投薬計画または前記リマインダメッセージは、前記薬剤送達データに関連している
ことを特徴とする請求項１に記載のインタフェース機器。
【請求項８】
前記番組は、前記薬剤送達機器の適切な使用についての指導を含んでいる
ことを特徴とする請求項１に記載のインタフェース機器。
【請求項９】
前記プロセッサは、さらに、リアルタイムで前記薬剤送達データを受け取り、リアルタイムで前記番組を決定し、リアルタイムで前記薬剤送達データを前記番組に組み込み、そして、リアルタイムで前記電子機器に前記制御メッセージを送るよう構成されている
ことを特徴とする請求項１に記載のインタフェース機器。
【請求項１０】
前記番組は、前記薬剤送達機器を使用する患者を惹きつけるゲームを含んでいる
ことを特徴とする請求項９に記載のインタフェース機器。
【請求項１１】
薬剤送達機器および電子機器と通信するための方法であって、
前記薬剤送達機器から薬剤送達データを受け取る工程と、
前記薬剤送達データに関連する、グラフィックファイルまたは音声ファイルに関連した番組を決定する工程と、
前記電子機器のディスプレイに前記グラフィックファイルを表示させるために、あるいは前記電子機器のスピーカを介して前記音声ファイルを再生させるために、前記電子機器に制御メッセージを送る工程と、
を備えていることを特徴とする方法。
【請求項１２】
前記番組をインタフェース機器のメモリに格納する工程をさらに備えている
ことを特徴とする請求項１１に記載の方法。
【請求項１３】
前記番組は、遠隔サーバに格納されており、
当該方法は、前記遠隔サーバから前記番組を取得する工程をさらに備えている
ことを特徴とする請求項１１に記載の方法。
【請求項１４】
前記遠隔サーバから前記番組を取得する工程は、ルータを介して前記番組を取得する工程をさらに備えている
ことを特徴とする請求項１３に記載の方法。
【請求項１５】
前記薬剤送達データは、患者による前記薬剤送達機器の使用に関連している
ことを特徴とする請求項１１に記載の方法。
【請求項１６】
前記薬剤送達機器は、吸入器を含んでおり、
前記薬剤送達データは、吸入データを含んでいる
ことを特徴とする請求項１５に記載の方法。
【請求項１７】
前記グラフィックファイルまたは前記音声ファイルは、投薬計画またはリマインダメッセージを含んでおり、
前記投薬計画または前記リマインダメッセージは、前記薬剤送達データに関連している
ことを特徴とする請求項１１に記載の方法。
【請求項１８】
前記番組は、前記薬剤送達機器の適切な使用についての指導を含んでいる
ことを特徴とする請求項１１に記載の方法。
【請求項１９】
リアルタイムで前記薬剤送達データを受け取る工程と、
リアルタイムで前記番組を決定する工程と、
リアルタイムで前記薬剤送達データを前記番組に組み込む工程と、
リアルタイムで前記電子機器に前記制御メッセージを送る工程と、
をさらに備えている
ことを特徴とする請求項１１に記載の方法。
【請求項２０】
前記番組は、前記薬剤送達機器を使用する患者を惹きつけるゲームを含んでいる
ことを特徴とする請求項１９に記載の方法。
【請求項２１】
薬剤送達機器であって、当該薬剤送達機器の使用に関連した薬剤送達データを生成して送るものと、
前記薬剤送達機器および電子機器と通信するためのインタフェース機器であって、前記薬剤送達機器から前記薬剤送達データを受け取り、前記薬剤送達データに関連する、グラフィックファイルまたは音声ファイルに関連した番組を決定し、そして、前記電子機器のディスプレイに前記グラフィックファイルを表示させるために、あるいは前記電子機器のスピーカを介して前記音声ファイルを再生させるために、前記電子機器に制御メッセージを送るよう構成されたものと、
を備えていることを特徴とする対話型患者管理システム。
【請求項２２】
前記インタフェース機器は、メモリを含んでおり、
前記番組は、前記インタフェース機器の前記メモリに格納されている
ことを特徴とする請求項２１に記載の対話型患者管理システム。
【請求項２３】
前記番組は、遠隔サーバに格納されており、
前記インタフェース機器は、さらに、前記遠隔サーバから前記番組を取得するよう構成されている
ことを特徴とする請求項２１に記載の対話型患者管理システム。
【請求項２４】
前記インタフェース機器は、さらに、ルータを介して前記番組を取得するよう構成されている
ことを特徴とする請求項２３に記載の対話型患者管理システム。
【請求項２５】
前記薬剤送達データは、患者による前記薬剤送達機器の使用に関連している
ことを特徴とする請求項２１に記載の対話型患者管理システム。
【請求項２６】
前記薬剤送達機器は、吸入器を含んでおり、
前記薬剤送達データは、吸入データを含んでいる
ことを特徴とする請求項２１に記載の対話型患者管理システム。
【請求項２７】
前記グラフィックファイルまたは前記音声ファイルは、投薬計画またはリマインダメッセージを含んでおり、
前記投薬計画または前記リマインダメッセージは、前記薬剤送達機器の前記使用に関連している
ことを特徴とする請求項２１に記載の対話型患者管理システム。
【請求項２８】
前記番組は、前記薬剤送達機器の適切な使用についての指導を含んでいる
ことを特徴とする請求項２１に記載の対話型患者管理システム。
【請求項２９】
前記インタフェール装置は、さらに、リアルタイムで前記薬剤送達データを受け取り、リアルタイムで前記番組を決定し、リアルタイムで前記薬剤送達データを前記番組に組み込み、そして、リアルタイムで前記電子機器に前記制御メッセージを送るよう構成されている
ことを特徴とする請求項２１に記載の対話型患者管理システム。
【請求項３０】
前記番組は、前記薬剤送達機器を使用する患者を惹きつけるゲームを含んでいる
ことを特徴とする請求項２１に記載の対話型患者管理システム。
【国際調査報告】
2017525019.tif 000007
2017525019.tif 000008